(57)【要約】【課題】シートスルー方式の画像読取り装置で原稿が重送された場合に記録紙の無駄を省くこと。【解決手段】原稿画像を光学的に読み取る読取り装置２と、読取り装置２で取得された画像データを電子写真方式によって記録紙上にプリントする画像形成装置３とからなる画像形成システム。トレイ２１上にセットされた原稿をピックアップして１枚ずつ搬送経路を所定方向に搬送する搬送部２０と、搬送経路上で原稿が重送されているか否かを検知する重送検知部ＳＥ５と、搬送されつつある原稿の表面画像を読み取る読取り部５０と、搬送されつつある原稿の裏面画像を読み取る読取り部４０と、を備えている。画像読取り動作及び記録紙へのプリント動作を係属中に、重送検知部ＳＥ５によって原稿が重送されていると検知された場合、画像読取りモード及び画像プリントモードに応じて、再読取りが必要な画像をプリントするための記録紙に代えて挿入紙を給紙させる。【選択図】図１
2014064081.tif 000002
【特許請求の範囲】
【請求項１】
原稿画像を光学的に読み取る画像読取り装置と、前記画像読取り装置で取得された画像データを電子写真方式によって記録紙上にプリントする画像形成装置と、からなる画像形成システムにおいて、
原稿トレイ上にセットされた原稿をピックアップして１枚ずつ搬送経路を所定方向に搬送する搬送部と、
前記搬送経路上で原稿が重送されているか否かを検知する重送検知部と、
前記搬送経路上に備えられ、搬送されつつある原稿の表面画像を読み取る表面画像読取り部と、
前記搬送経路上に備えられ、搬送されつつある原稿の裏面画像を読み取る裏面画像読取り部と、
記録紙をピックアップして１枚ずつ所定の画像形成用搬送経路へ送り出す第１の給紙部と、
挿入紙をピックアップして１枚ずつ前記画像形成用搬送経路へ送り出す第２の給紙部と、
画像読取り動作及び記録紙への画像プリント動作を係属中に、前記重送検知部によって原稿が重送されていると検知された場合、画像読取りモード及び画像プリントモードに応じて、再読取りが必要な原稿画像をプリントするための記録紙に代えて挿入紙を給紙させる制御手段と、
を備えたことを特徴とする画像形成システム。
【請求項２】
前記制御手段は、両面原稿／両面プリントモードにあっては、重送された２枚の原稿の画像をプリントするための２枚の記録紙に代えて２枚の挿入紙を給紙させること、を特徴とする請求項１に記載の画像形成システム。
【請求項３】
前記制御手段は、両面原稿／片面プリントモードにあっては、重送された２枚の原稿の画像のうち、前記表面画像読取り部及び前記裏面画像読取り部で読み取られた画像をプリントするために２枚の記録紙を給紙させ、読み取られなかった二つの画像をプリントするための２枚の記録紙に代えて２枚の挿入紙を給紙させること、を特徴とする請求項１に記載の画像形成システム。
【請求項４】
前記制御手段は、両面原稿／Ｎｉｎ１プリントモードにあっては、重送された２枚の原稿の画像が１枚の記録紙にプリントすべきものである場合、該１枚の記録紙に代えて１枚の挿入紙を給送させ、重送された２枚の原稿の画像が２枚の記録紙にプリントすべきものである場合、該２枚の記録紙に代えて２枚の挿入紙を給紙させること、を特徴とする請求項１に記載の画像形成システム。
【発明の詳細な説明】
【技術分野】
【０００１】
本発明は、画像形成システム、特に、原稿画像を光学的に読み取る画像読取り装置と、前記画像読取り装置で取得された画像データを電子写真方式によって記録紙上にプリントする画像形成装置とからなる画像形成システムに関する。
【背景技術】
【０００２】
一般に、原稿画像を光学的に読み取る画像読取り装置にあっては、プラテンガラス上に載置された原稿の画像を一方向に移動する光学系によって読み取るプラテン方式と、静止している光学系の読取り位置を原稿を一方向に搬送しながら読み取るシートスルー方式とに大別される。シートスルー方式はプラテン方式に対して読取り生産性が高く、小型化、低コスト、低騒音という利点を有し、複写機などの画像形成装置に搭載されている。
【０００３】
また、前記シートスルー方式による画像読取り装置では、原稿トレイにセットされた原稿を１枚ずつ送り出して搬送し、該原稿の表面画像及び裏面画像をほぼ同時に読取ることが可能な利点を有している。しかしながら、シートスルー方式では、原稿トレイから原稿が２枚重なって送り出される不具合（以下、重送と記す）が発生するおそれがある。
【０００４】
従来では、前記重送を検出するためのセンサを設けることが一般的であり、重送を検知すると、ジャムした場合と同様に装置を停止させることが行われていた。しかし、いちいち装置を停止させてジャムした場合と同様の処理を行うようにすると、処理に時間を要し、処理時に原稿にダメージを与える場合がある。
【０００５】
近年の画像読取り装置では通紙性能が向上しており、重送状態でも原稿にダメージを与えることなく搬送される。このため、単に装置を停止させるよりも、搬送を継続して画像を読み取ってしまったほうが好ましい。
【０００６】
特許文献１には、重送を検知すると、重送された原稿と重送されなかった原稿とを仕分け処理し、画像読取り動作及び画像形成動作を継続させ、記録紙の排出状態を制御することが記載されている。また、特許文献２には、重送を検知すると、重送した原稿をその画像を読み取ることなく第２排出部に排出し、残りの原稿は読取りを続け、全ての原稿を読み取った後に重送した原稿を再読取りして正しいページ位置に読み取った画像を挿入することが記載されている。
【先行技術文献】
【特許文献】
【０００７】
【特許文献１】特開２００５−１７３４７２号公報
【特許文献２】特開２０１１−０６６７４２号公報
【発明の概要】
【発明が解決しようとする課題】
【０００８】
本発明の目的は、シートスルー方式において、原稿が重送された場合に記録紙の無駄を省くことができる画像形成システムを提供することにある。
【課題を解決するための手段】
【０００９】
本発明の一形態である画像形成システムは、
原稿画像を光学的に読み取る画像読取り装置と、前記画像読取り装置で取得された画像データを電子写真方式によって記録紙上にプリントする画像形成装置と、からなる画像形成システムにおいて、
原稿トレイ上にセットされた原稿をピックアップして１枚ずつ搬送経路を所定方向に搬送する搬送部と、
前記搬送経路上で原稿が重送されているか否かを検知する重送検知部と、
前記搬送経路上に備えられ、搬送されつつある原稿の表面画像を読み取る表面画像読取り部と、
前記搬送経路上に備えられ、搬送されつつある原稿の裏面画像を読み取る裏面画像読取り部と、
記録紙をピックアップして１枚ずつ所定の画像形成用搬送経路へ送り出す第１の給紙部と、
挿入紙をピックアップして１枚ずつ前記画像形成用搬送経路へ送り出す第２の給紙部と、
画像読取り動作及び記録紙への画像プリント動作を係属中に、前記重送検知部によって原稿が重送されていると検知された場合、画像読取りモード及び画像プリントモードに応じて、再読取りが必要な原稿画像をプリントするための記録紙に代えて挿入紙を給紙させる制御手段と、
を備えたことを特徴とする。
【００１０】
前記画像形成システムにおいては、第１及び第２の原稿の重送を検知した場合であっても両面原稿であれば、重なった第１の原稿の表面画像及び第２の原稿の裏面画像を読み取る。このとき、画像読取りモード及び画像プリントモードに応じて、読み取られずに再読取りが必要な原稿画像（第１の原稿の裏面画像及び第２の原稿の表面画像）をプリントするための記録紙に代えて挿入紙が給紙される。それゆえ、記録紙の無駄な消費が解消される。
【発明の効果】
【００１１】
本発明によれば、シートスルー方式の画像形成システムにおいて、原稿が重送された場合に記録紙の無駄な消費を解消することができる。
【図面の簡単な説明】
【００１２】
【図１】一実施例である画像形成システムを示す概略構成図である。
【図２】前記画像形成システムの制御部を示すブロック図である。
【図３】両面原稿／両面プリント時の制御例を示し、（Ａ）は本発明例の説明図、（Ｂ）は従来例の説明図である。
【図４】両面原稿／片面プリントモード時の制御例を示し、（Ａ）は本発明例の説明図、（Ｂ）は従来例の説明図である。
【図５】両面原稿／Ｎｉｎ１両面プリントモード時の制御例を示す説明図である。
【図６】両面原稿／Ｎｉｎ１両面プリントモード時の他の制御例を示す説明図である。
【図７】両面原稿／Ｎｉｎ１片面プリントモード時の制御例を示す説明図である。
【図８】両面原稿／Ｎｉｎ１片面プリントモード時の他の制御例を示す説明図である。
【図９】両面原稿／片面プリントモード時の制御例を示す説明図である。
【図１０】両面原稿／片面プリントモード時の制御例を示す説明図である。
【図１１】両面原稿／片面プリントモード時の他の制御例を示す説明図である。
【発明を実施するための形態】
【００１３】
以下、本発明に係る画像形成システムの実施例について、添付図面を参照して説明する。なお、各図において同じ部材、部分には共通する符号を付し、重複する説明は省略する。
【００１４】
（画像形成システムの概略構成、図１参照）
画像形成システム１は、原稿画像を光学的に読み取る画像読取り装置２と、画像読取り装置２で取得された画像データを電子写真方式によって記録紙上にプリントする画像形成装置３とからなる。
【００１５】
画像読取り装置２は、原稿の表面画像を読み取るための読取り光学系５０と原稿搬送部２０とからなる。読取り光学系５０はそれ自体周知のものであって、ランプ５３とミラー５４，５５，５６と、結像レンズ５８と、撮像素子（ＣＣＤ）５９とで構成されている。ランプ５３、ミラー５４は第１スライダー５１に搭載され、ミラー５５，５６は第２スライダー５２に搭載されている。第１及び第２スライダー５１，５２は矢印Ｙ方向に移動可能である。プラテンガラス３１上に載置された原稿に関しては、第１スライダー５１が速度Ｖで、第２スライダー５２が速度Ｖ／２で矢印Ｙ方向に移動することでその原稿の画像を読み取る。
【００１６】
一方、シートスルー方式による場合、光学系５０を図１に示す読取り位置Ａに静止させた状態で行われる。ここで、シートスルー方式による画像読取りに際して原稿を読取り位置Ａに搬送する原稿搬送部２０について説明する。
【００１７】
原稿搬送部２０は、原稿トレイ２１と、ピックアップローラ２２と、給紙ローラ２３ａ及び捌きローラ２３ｂと、中間搬送ローラ対２４と、レジストローラ対２５と、第１読取りローラ対２６と、第２読取りローラ対２７と、第３読取りローラ対２８と、排出ローラ対２９と、排出トレイ３０とで構成されている。各種ローラとガイド板によって搬送経路が形成されている。
【００１８】
原稿は複数枚のものが表面を上側にしてトレイ２１上に積載され、最上層のものからピックアップローラ２２によってピックアップされ、給紙ローラ２３ａと捌きローラ２３ｂとの間を１枚に捌かれて給紙される。その後、原稿は、中間搬送ローラ対２４を介して、かつ、レジストローラ対２５で斜行補正を施され、読取りローラ対２６，２７，２８の順に搬送され、排出ローラ対２９からトレイ３０上に排出される。なお、原稿を１枚ずつ捌いて給紙する動作、及び、レジストローラ対２５による原稿のレジスト動作（斜行補正）は従来から周知であり、それらの詳細は省略する。
【００１９】
搬送経路には、重送検知センサＳＥ５及び裏面画像読取り用の密着型イメージセンサ４０が配置されている。重送検知センサＳＥ５は、例えば、搬送経路を挟んで配置された超音波の発信素子と受信素子とからなり、給紙ローラ２３ａと中間搬送ローラ対２４との間に配置されている。原稿が通過する際の受信素子の出力レベル（超音波の原稿透過率）によって、１枚の原稿が搬送されたのか、２枚の原稿が搬送されたのかを検知することができる。なお、近年では原稿給紙能力が向上しており、重送は２枚重ねが通常であり、３枚以上の重送は実質的に考慮する必要はない。
【００２０】
搬送経路を搬送される原稿は、前記読取り光学系５０によって読取り位置Ａにて表面の画像を読み取られる。密着型イメージセンサ４０は、読取りローラ対２７，２８の間に配置されている。搬送される原稿は、密着型イメージセンサ４０によって読取り位置Ｂにて裏面の画像を読み取られる。
【００２１】
画像形成装置３は、Ｙ（イエロー）、Ｍ（マゼンタ）、Ｃ（シアン）、Ｋ（ブラック）の画像を形成するための感光体ドラム６１と中間転写ベルト６２を主要な構成部品とする画像形成部４、記録紙や以下に説明する挿入紙を１枚ずつ給紙する給紙部５、ローラ対６３や転写ローラ６４、定着ユニット６５などで構成されている用紙搬送経路６、両面プリントのための再給紙搬送路７を備えている。画像形成部４によってカラー又はモノクロのトナー画像を形成するプロセスは従来周知である。
【００２２】
給紙部５は、上段から、第１給紙カセット５ａ、第２給紙カセット５ｂ、第３給紙カセット５ｃ、第４給紙カセット５ｄ、及び、手差し給紙部５ｅを備え、給紙カセット５ａ，５ｂ，５ｃには適宜サイズの記録紙が収容されている。最下段の給紙カセット５ｄには挿入紙が収容されている。なお、挿入紙はいずれのカセットに収容されていてもよく、あるいは、いずれかの給紙カセットに収容された記録紙（例えば、原稿サイズとは異なるサイズの記録紙）を挿入紙として代用してもよい。また、この種の給紙部５から記録紙や挿入紙を１枚ずつピックアップして用紙搬送経路６へ給紙する動作は従来周知である。
【００２３】
給紙された記録紙は転写ローラ６４によってトナー画像を転写され、定着ユニット６５によってトナーの定着を施され、排出ローラ対６６から排出トレイ８に排出される。両面プリントの場合、第１面（表面）に画像を形成された記録紙は、再給紙搬送路７に送られ、転写ローラ６４を通過することにより第２面（裏面）に画像を形成され、排出トレイ８に排出される。
【００２４】
（制御部、図２参照）
前記画像形成システム１の制御部は、図２に示すように、ＣＰＵ７０を中心として構成されている。ＣＰＵ７０には前記センサＳＥ５などからの検知信号が入力される。また、ＣＰＵ７０は、画像形成部４の駆動回路７１、給紙部５の駆動回路７２、スライダ５１，５２の駆動回路７３、搬送用ローラ類の駆動回路７４などを制御する。さらに、ＣＰＵ７０は読み取った画像データを処理する画像データ処理部７５を制御する。
【００２５】
（原稿重送時の制御の基本）
画像読取り動作及び記録紙への画像プリント動作を係属中に、重送検知センサＳＥ５によって原稿が重送されていると検知された場合、ＣＰＵ７０は、画像読取りモード（両面原稿モード又は片面原稿モード）及び画像プリントモード（両面プリントモード、Ｎｉｎ１プリントモード又は片面プリントモード）に応じて、再読取りが必要な原稿画像をプリントするための記録紙に代えて挿入紙を給紙させる。例えば、第１及び第２の原稿の重送を検知した場合であっても両面原稿であれば、重なった第１の原稿の表面画像及び第２の原稿の裏面画像を読み取る。このとき、画像読取りモード及び画像プリントモードに応じて、読み取られずに再読取りが必要な原稿画像（第１の原稿の裏面画像及び第２の原稿の表面画像）をプリントするための記録紙に代えて挿入紙を給紙する。それゆえ、記録紙の無駄な消費が解消される。
【００２６】
ここで、両面原稿モードとは、原稿の表面画像及び裏面画像を１回の搬送によって読取り光学系５０及び密着型イメージセンサ４０でほぼ同時に読取るモードをいう。片面原稿モードとは、１回の搬送によって表面画像のみを読取り光学系５０で読取るモードをいう。両面プリントモードとは１枚の記録紙の表裏面に原稿の表裏面画像をプリントするモードをいう。片面プリントモードとは１枚の記録紙の表面に原稿の表面画像をプリントするモードをいう。Ｎｉｎ１モードとは、Ｎ枚（通常、２枚又は４枚）の画像を１枚の記録紙にプリントするモードであり、表面にのみプリントするＮｉｎ１片面モードと、表裏面にプリントするＮｉｎ１両面プリントモードとがある。
【００２７】
なお、以下の制御例の説明において、原稿１，２…の数字はトレイ２１から搬送される順序を示し、プリント１，２…や挿入紙２，３…の数字は給紙部５からの給紙順序を示している。
【００２８】
（制御例１、図３参照）
画像形成システム１による制御例１を説明する。この制御例１は、両面原稿／両面プリントモード時の制御であり、図３（Ａ）に示すように、両面原稿は１，２…の順序で搬送される。ここでは、両面原稿２，３が重送された場合について説明する。両面原稿１の表裏面画像については、読み取られて記録紙１の表裏面にプリントされる。重送された両面原稿２，３については、両面原稿２の表面画像と両面原稿３の裏面画像は読取り可能であるが、両面原稿２の裏面画像と両面原稿３の表面画像は読取り不可能である。
【００２９】
従来では、図３（Ｂ）に示すように、両面原稿２の表面画像と両面原稿３の裏面画像が記録紙２の表裏面にプリントされてしまい、記録紙２は無駄になってしまう。
【００３０】
これに対して、制御例１では、図３（Ａ）に示すように、読み取った両面原稿２の表面画像と両面原稿３の裏面画像のデータを廃棄し、挿入紙２，３を給紙して画像をプリントすることなくトレイ８に排出する。次に重送されることなく搬送された両面原稿４は、その表裏面画像が記録紙４の表裏面にプリントされる。これにて、２枚の記録紙の無駄が避けられる。また、ユーザーは挿入紙２，３が記録紙１，４の間に介在されていることで、容易に重送された原稿を特定することができる。
【００３１】
（制御例２、図４参照）
制御例２は、両面原稿／片面プリントモード時の制御であり、図４（Ａ）に示すように、両面原稿２，３が重送された場合について説明する。両面原稿１の表裏面画像については、読み取られて記録紙１，２の表面にそれぞれプリントされる。重送された両面原稿２，３については、両面原稿２の表面画像と両面原稿３の裏面画像は読取り可能であるが、両面原稿２の裏面画像と両面原稿３の表面画像は読取り不可能である。
【００３２】
従来では、図４（Ｂ）に示すように、両面原稿２の表面画像と両面原稿３の裏面画像が記録紙３，４の表面にプリントされてしまい、両面原稿２の裏面画像と両面原稿３の表面画像のページが抜けてしまう。同時に原稿の表裏面画像を読み取る装置の構成上、重送原稿を再読取りしたときには、再度、表裏面画像を読み取ってプリントすることとなり、結果的に記録紙３，４は無駄になる。
【００３３】
これに対して、制御例２では、図４（Ａ）に示すように、読み取られた両面原稿２の表面画像のデータを廃棄して挿入紙３を給紙し、読み取られなかった両面原稿２の裏面画像に対しては挿入紙４を給紙してそれぞれプリントすることなくトレイ８に排出する。読み取られなかった両面原稿３の表面画像に対しては挿入紙５を給紙し、読み取られた両面原稿３の裏面画像のデータを廃棄して挿入紙６を給紙し、それぞれプリントすることなくトレイ８に排出する。次に重送されることなく搬送された両面原稿４は、その表裏面画像が記録紙７，８の表面にそれぞれプリントされる。これにて、２枚の記録紙の無駄が避けられる。また、ユーザーは挿入紙３〜６が記録紙２，７の間に介在されていることで、容易に重送された原稿とそのページを特定することができる。
【００３４】
（制御例３Ａ、図５参照）
制御例３Ａは、両面原稿／Ｎｉｎ１両面プリントモード時において、重送された２枚の原稿の画像が１枚の記録紙にプリントすべきものである場合、該１枚の記録紙に代えて１枚の挿入紙を給送する制御である。ここでは、両面原稿３，４が重送された場合について説明する。制御例３Ａにおいて、Ｎは４であり、両面原稿１，２の計４枚の表裏面画像が１枚の記録紙の表面に４分割されてプリントされ、さらに、両面原稿３，４の計４枚の表裏面画像が該記録紙の裏面に４分割されてプリントされる。
【００３５】
具体的には、両面原稿１，２が正常に１枚ずつ搬送され、その表裏面画像が読取り光学系５０及び密着型イメージセンサ４０にて読み取られる。重送された両面原稿３，４については、両面原稿３の表面画像と両面原稿４の裏面画像は読取り可能であるが、両面原稿３の裏面画像と両面原稿４の表面画像は読取り不可能である。
【００３６】
従来では、両面原稿１，２の表裏面画像と両面原稿３の表面画像と両面原稿４の裏面画像と両面原稿５の表面画像が１枚の記録紙にプリントされてしまい、さらに、両面原稿６以降の読取り画像についても、ページ順がずれてしまう。即ち、プリントされた記録紙の全てが使い物にならず、無駄になってしまう。
【００３７】
これに対して、制御例３Ａでは、図５に示すように、読み取られた両面原稿１，２の表裏面画像と両面原稿３の表面画像と両面原稿４の裏面画像のデータを廃棄し、挿入紙１を給紙して画像をプリントすることなくトレイ８に排出する。つぎに重送されることなく搬送された両面原稿５〜８の表裏面画像は記録紙２の表裏面にプリントされる。これにて、１枚の記録紙の無駄が避けられる。また、ユーザーは挿入紙１が排出されていることで、容易に重送された原稿を特定することができる。
【００３８】
（制御例３Ｂ、図６参照）
制御例３Ｂは、両面原稿／Ｎｉｎ１両面プリントモード時において、重送された２枚の原稿の画像が２枚の記録紙にプリントすべきものである場合、該２枚の記録紙に代えて２枚の挿入紙を給送する制御である。ここでは、両面原稿４，５が重送された場合について説明する。制御例３Ｂにおいて、Ｎは４であり、両面原稿１，２の計４枚の表裏面画像が１枚の記録紙の表面に４分割されてプリントされ、さらに、両面原稿３，４の計４枚の表裏面画像が該記録紙の裏面に４分割されてプリントされる。
【００３９】
具体的には、両面原稿１，２，３が正常に１枚ずつ搬送され、その表裏面画像が読取り光学系５０及び密着型イメージセンサ４０にて読み取られる。重送された両面原稿４，５については、両面原稿４の表面画像と両面原稿５の裏面画像は読取り可能であるが、両面原稿４の裏面画像と両面原稿５の表面画像は読取り不可能である。
【００４０】
従来では、両面原稿１，２，３の表裏面画像と両面原稿４の表面画像と両面原稿５の裏面画像が１枚の記録紙にプリントされてしまい、さらに、両面原稿６以降の読取り画像についても、ページ順がずれてしまう。即ち、プリントされた記録紙の全てが使い物にならず、無駄になってしまう。
【００４１】
これに対して、制御例３Ｂでは、図６に示すように、読み取られた両面原稿１，２，３の表裏面画像と両面原稿４の表面画像と両面原稿５の裏面画像のデータを廃棄するとともに、その後に重送されることなく搬送された両面原稿６，７，８の表裏面画像のデータを廃棄し、挿入紙１，２を給紙して画像をプリントすることなくトレイ８に排出する。これにて、２枚の記録紙の無駄が避けられる。また、ユーザーは挿入紙１，２が排出されていることで、容易に重送された原稿を特定することができる。
【００４２】
（制御例４Ａ、図７参照）
制御例４Ａは、両面原稿／Ｎｉｎ１片面プリントモード時において、重送された２枚の原稿の画像が１枚の記録紙にプリントすべきものである場合、該１枚の記録紙に代えて１枚の挿入紙を給送する制御である。ここでは、両面原稿３，４が重送された場合について説明する。制御例４Ａにおいて、Ｎは４であり、両面原稿１，２の計４枚の表裏面画像が１枚の記録紙の表面に４分割されてプリントされ、さらに、両面原稿３，４の計４枚の表裏面画像が次の記録紙の表面に４分割されてプリントされる。
【００４３】
具体的には、正常に搬送された両面原稿１，２については、その表裏面画像が記録紙１の表面にプリントされる。重送された両面原稿３，４については、両面原稿３の表面画像と両面原稿４の裏面画像は読取り可能であるが、両面原稿３の裏面画像と両面原稿４の表面画像は読取り不可能である。
【００４４】
従来では、両面原稿３の表面画像と両面原稿４の裏面画像と両面原稿５の表裏面画像が１枚の記録紙の表面にプリントされてしまい、さらに、両面原稿６以降の読取り画像についても、ページ順がずれてしまう。即ち、プリントされた２枚目以後の記録紙が使い物にならず、無駄になってしまう。
【００４５】
これに対して、制御例４Ａでは、図７に示すように、読み取られた両面原稿３の表面画像と両面原稿４の裏面画像のデータを廃棄し、挿入紙２を給紙して画像をプリントすることなくトレイ８に排出する。つぎに重送されることなく搬送された両面原稿５，６の表裏面画像は記録紙３の表面にプリントされる。これにて、１枚の記録紙の無駄が避けられる。また、ユーザーは挿入紙２が排出されていることで、容易に重送された原稿を特定することができる。
【００４６】
（制御例４Ｂ、図８参照）
制御例４Ｂは、両面原稿／Ｎｉｎ１片面プリントモード時において、重送された２枚の原稿の画像が２枚の記録紙にプリントすべきものである場合、該２枚の記録紙に代えて２枚の挿入紙を給送する制御である。ここでは、両面原稿４，５が重送された場合について説明する。制御例４Ｂにおいて、Ｎは４であり、両面原稿１，２の計４枚の表裏面画像が１枚の記録紙の表面に４分割されてプリントされ、さらに、両面原稿３，４の計４枚の表裏面画像が次の記録紙の表面に４分割されてプリントされる。
【００４７】
具体的には、正常に搬送された両面原稿１，２については、その表裏面画像が記録紙１の表面にプリントされる。正常に搬送された両面原稿３の表裏面画像は読取り可能であり、かつ、重送された両面原稿４，５については、両面原稿４の表面画像と両面原稿５の裏面画像は読取り可能であるが、両面原稿４の裏面画像と両面原稿５の表面画像は読取り不可能である。
【００４８】
従来では、両面原稿３の表裏面画像と両面原稿４の表面画像と両面原稿５の裏面画像が１枚の記録紙の表面にプリントされてしまい、さらに、両面原稿６以降の読取り画像についても、ページ順がずれてしまう。即ち、プリントされた２枚目以後の記録紙が使い物にならず、無駄になってしまう。
【００４９】
これに対して、制御例４Ｂでは、図８に示すように、読み取られた両面原稿３の表裏面画像と両面原稿４の表面画像と両面原稿５の裏面画像のデータを廃棄するとともに、その後に重送されることなく搬送された両面原稿６の表裏面画像のデータを廃棄し、挿入紙２，３を給紙して画像をプリントすることなくトレイ８に排出する。これにて、２枚の記録紙の無駄が避けられる。また、ユーザーは挿入紙２，３が排出されていることで、容易に重送された原稿を特定することができる。
【００５０】
（制御例５、図９参照）
制御例５は、片面原稿／片面プリントモード時の制御であり、図９に示すように、片面原稿２，３が重送された場合について説明する。片面原稿１の表面画像については、読み取られて記録紙１の表面にプリントされる。重送された片面原稿２，３については、片面原稿２の表面画像は読取り可能であるが、片面原稿３の表面画像は読取り不可能である。
【００５１】
従来では、片面原稿２の表面画像を記録紙２の表面にプリントし、片面原稿３の表面画像に対しては記録紙が給紙されることはなく、３ページ目が完全に脱落してしまい、複写物としては不完全なものとなる。
【００５２】
これに対して、制御例５では、図９に示すように、読み取られた片面原稿２の表面画像は記録紙２の表面にプリントされ、読み取られなかった片面原稿３の表面画像に対しては記録紙に代えて挿入紙３を給紙してプリントすることなくトレイ８に排出する。次に重送されることなく搬送された片面原稿４は、その表面画像が記録紙４の表面にプリントされる。ユーザーは挿入紙３が記録紙２，４の間に介在されていることで、容易に重送された原稿を特定することができる。
【００５３】
（制御例６Ａ、図１０参照）
制御例６Ａは、片面原稿／両面プリントモード時の制御であり、奇数目のページと次の偶数目のページとが重送された場合について説明する。図１０に示すように、片面原稿１，２の表面画像については、読み取られて記録紙１の表裏面にプリントされる。重送された片面原稿３，４については、片面原稿３の表面画像は読取り可能であるが、片面原稿４の表面画像は読取り不可能である。
【００５４】
従来では、片面原稿３の表面画像と片面原稿５の表面画像が記録紙の表裏面にプリントされ、片面原稿６以後の表面画像に対してはページ順がずれてしまい。２枚目以後の記録紙が無駄になってしまう。
【００５５】
これに対して、制御例６Ａでは、図１０に示すように、読み取られた片面原稿３の表面画像のデータを廃棄し、挿入紙２を給紙してプリントすることなくトレイ８に排出する。次に重送されることなく搬送された片面原稿５，６は、それぞれの表面画像が記録紙３の表裏面にプリントされる。ユーザーは挿入紙２が記録紙１，３の間に介在されていることで、容易に重送された原稿を特定することができる。
【００５６】
（制御例６Ｂ、図１１参照）
制御例６Ｂは、片面原稿／両面プリントモード時の制御であり、偶数目のページと次の奇数目のページとが重送された場合について説明する。図１１に示すように、片面原稿１の表面画像は読み取られ、重送された片面原稿２，３については、片面原稿２の表面画像は読取り可能であるが、片面原稿３の表面画像は読取り不可能である。
【００５７】
従来では、片面原稿１，２の表面画像がそれぞれ記録紙の表裏面にプリントされ、片面原稿３の表面画像はプリントされることはなく、以後の片面原稿の表面画像に対してはページ順がずれてしまい。２枚目以後の記録紙が無駄になってしまう。
【００５８】
これに対して、制御例６Ｂでは、図１１に示すように、読み取られた片面原稿１，２の表面原稿を記録紙１の表裏面にプリントし、読み取られた片面原稿４の表面画像のデータを廃棄し、片面原稿３，４の画像をプリントすべき記録紙に代えて挿入紙２を給紙してプリントすることなくトレイ８に排出する。次に重送されることなく搬送された片面原稿５，６は、それぞれの表面画像が記録紙３の表裏面にプリントされる。ユーザーは挿入紙２が記録紙１，３の間に介在されていることで、容易に重送された原稿を特定することができる。
【００５９】
（他の実施例）
なお、本発明に係る、画像形成システムは前記実施例に限定するものではなく、その要旨の範囲内で種々に変更することができる。
【００６０】
例えば、原稿搬送経路の構成やトレイ２１，３０の構成などは任意である。また、画像読取り装置はシートスルー方式専用のものであってもよい。
【産業上の利用可能性】
【００６１】
以上のように、本発明は、画像形成システムに有用であり、特に、原稿が重送された場合に記録紙の無駄を省くことができる点で優れている。
【符号の説明】
【００６２】
１…画像形成システム
２…画像読取り装置
３…画像形成装置
５…給紙部
２０…原稿搬送部
２１…原稿トレイ
４０…密着型イメージセンサ
５０…読取り光学系
７０…ＣＰＵ
Ａ，Ｂ…読取り位置
ＳＥ５…重送検知センサ
【図１】
2014064081.tif 000003
【図２】
2014064081.tif 000004
【図３】
2014064081.tif 000005
【図４】
2014064081.tif 000006
【図５】
2014064081.tif 000007
【図６】
2014064081.tif 000008
【図７】
2014064081.tif 000009
【図８】
2014064081.tif 000010
【図９】
2014064081.tif 000011
【図１０】
2014064081.tif 000012
【図１１】
2014064081.tif 000013